(57)【要約】【課題】防食剤を上方に向けて案内する噴流部において、端子付電線の接続部により確実に防食剤を供給することを可能にする技術を提供すること。【解決手段】噴流部１００は、液状の防食剤８０を上方に案内可能である。噴流部１００は、液状の防食剤８０が通過する供給孔２５が形成された供給部２と、供給部２における供給孔２５の上方側の開口２９の両側の部分から上方に向けて延出する一対の側面３０が形成された延出部３と、を備える。【選択図】図１
2016134341.tif 000002
【特許請求の範囲】
【請求項１】
液状の防食剤を上方に案内可能な噴流部であって、
前記液状の防食剤が通過する供給孔が形成された供給部と、
前記供給部における前記供給孔の前記上方側の開口の両側の部分から前記上方に向けて延出する一対の側面が形成された延出部と、を備える、噴流部。
【請求項２】
請求項１に記載の噴流部であって、
前記開口の周囲の端面は、前記一対の側面の対向方向の両側に設けられた第一縁部と第二縁部とを含み、
前記第一縁部側の第一端面が、前記第二縁部側の第二端面に比べ、前記供給孔側からその反対側へ下るように大きく傾斜して形成されている、噴流部。
【請求項３】
請求項１又は請求項２に記載の噴流部であって、
前記開口の周囲の端面は、前記一対の側面の対向方向の両側に設けられた第一縁部と第二縁部とを含み、
前記第二縁部の位置が、前記第一縁部の位置よりも前記上方側に存在する、噴流部。
【請求項４】
請求項１から請求項３のいずれか１項に記載の噴流部であって、
一方向に沿って並列に並んだ前記供給孔が複数形成された前記供給部と、
前記複数の供給孔それぞれの両側に設けられた複数の前記一対の側面を含む前記延出部と、を備える、噴流部。
【請求項５】
請求項１から請求項４のいずれか１項に記載の噴流部と、
絶縁電線と前記絶縁電線の芯線に接続された端子とを備える端子付電線を、前記絶縁電線と前記端子との接続部における前記芯線が下方に露出するように支持可能な端子付電線支持部と、
前記噴流部の前記供給孔に前記液状の防食剤を供給可能な防食剤供給部と、を備える、防食剤噴流装置。
【請求項６】
請求項５に記載の防食剤噴流装置であって、
前記噴流部の前記一対の側面の間に前記端子付電線の前記接続部が位置するように前記噴流部を支持することが可能な噴流部支持部と、
前記噴流部支持部及び前記端子付電線支持部の少なくとも一方を、前記噴流部から前記液状の防食剤が供給されている状態において、前記端子付電線支持部に支持された状態の前記端子付電線の延在方向及び前記延出部の延出方向に移動させることが可能な移動機構と、をさらに備える、防食剤噴流装置。
【請求項７】
請求項５又は請求項６に記載の防食剤噴流装置であって、
並列状に並んだ状態の複数の前記端子付電線を一括して支持可能な前記端子付電線支持部を備える、防食剤噴流装置。
【請求項８】
請求項５から請求項７のいずれか１項に記載の防食剤噴流装置であって、
請求項２又は請求項３に記載の噴流部を備え、
前記端子付電線支持部は、前記端子付電線の前記端子における相手側部材との接点部が前記噴流部の前記第二縁部側に位置するように、前記端子付電線を支持する、防食剤噴流装置。
【請求項９】
絶縁電線と前記絶縁電線の芯線に接続された端子とを備える端子付電線に防食剤を供給することで止水された端子付電線の製造方法であって、
請求項１から請求項４のいずれか１項に記載の噴流部を用い、
前記端子付電線を前記絶縁電線と前記端子との接続部における前記芯線が下方に露出するように支持する工程と、
前記端子付電線における前記接続部の前記下方側に前記噴流部を配設し、前記液状の防食剤を前記噴流部を介して上方に案内することで、前記接続部に前記液状の防食剤を供給する工程と、
前記液状の防食剤を硬化させる工程と、を備える、端子付電線製造方法。
【発明の詳細な説明】
【技術分野】
【０００１】
本発明は、液状の防食剤を端子付電線に供給する技術に関する。
【背景技術】
【０００２】
車両等に搭載されるワイヤーハーネスにおいて、絶縁電線と絶縁電線に接続された端子とを含む端子付電線を備えることがある。また、端子付電線においては、絶縁電線の芯線と端子との接続部分を止水するため、防食剤が設けられることがある。
【０００３】
例えば、特許文献１に示される例では、溶融した防食剤を上方に向けて案内可能な噴流部を備える防食剤塗布装置を用いて、端子付電線における上記接続部分に防食剤が設けられる。
【０００４】
特許文献１に示される例での防食剤供給工程においては、端子付電線の上記接続部分における芯線が下方に露出するように端子付電線がセットされ、芯線に対向する噴流部から上方に防食剤が供給される。これにより、端子付電線における止水を必要とする部分を覆う防食剤が設けられる。
【先行技術文献】
【特許文献】
【０００５】
【特許文献１】特開２０１１−０８７３８１号公報
【発明の概要】
【発明が解決しようとする課題】
【０００６】
しかしながら、特許文献１に示されるように、ノズル状の噴流部を用いて防食剤を上方に向けて案内する場合、噴流部から噴出した防食剤は、表面張力によって山形状となる。そして、防食剤供給工程においては、噴流部から噴出する防食剤の山の頂上部分に、端子付電線の接続部が接するように、端子付電線の位置が決められる。
【０００７】
このとき、端子付電線が、端子の幅方向において正規の位置からずれた場合、噴流部から噴出する防食剤の頂上部分に、端子付電線における止水を必要とする部分が十分に接しないことが懸念される。
【０００８】
本発明は、防食剤を上方に向けて案内する噴流部において、端子付電線の接続部により確実に防食剤を供給することを可能にする技術を提供することを目的とする。
【課題を解決するための手段】
【０００９】
第１態様に係る噴流部は、液状の防食剤を上方に案内可能な噴流部であって、前記液状の防食剤が通過する供給孔が形成された供給部と、前記供給部における前記供給孔の前記上方側の開口の両側の部分から前記上方に向けて延出する一対の側面が形成された延出部と、を備える。
【００１０】
第２態様に係る噴流部は、第１態様に係る噴流部の一態様である。第２態様に係る噴流部においては、前記開口の周囲の端面は、前記一対の側面の対向方向の両側に設けられた第一縁部と第二縁部とを含み、前記第一縁部側の第一端面が、前記第二縁部側の第二端面に比べ、前記供給孔側からその反対側へ下るように大きく傾斜して形成されている。
【００１１】
第３態様に係る噴流部は、第１態様又は第２態様に係る噴流部の一態様である。第３態様に係る噴流部においては、前記開口の周囲の端面は、前記一対の側面の対向方向の両側に設けられた第一縁部と第二縁部とを含み、前記第二縁部の位置が、前記第一縁部の位置よりも前記上方側に存在する。
【００１２】
第４態様に係る噴流部は、第１態様から第３態様のいずれか１つに係る噴流部の一態様である。第４態様に係る噴流部は、一方向に沿って並列に並んだ前記供給孔が複数形成された前記供給部と、前記複数の供給孔それぞれの両側に設けられた複数の前記一対の側面を含む前記延出部と、を備える。
【００１３】
第５態様に係る防食剤噴流装置は、第１態様から第４態様のいずれか１つに係る噴流部と、絶縁電線と前記絶縁電線の芯線に接続された端子とを備える端子付電線を、前記絶縁電線と前記端子との接続部における前記芯線が下方に露出するように支持可能な端子付電線支持部と、前記噴流部の前記供給孔に前記液状の防食剤を供給可能な防食剤供給部と、を備える。
【００１４】
第６態様に係る防食剤噴流装置は、第５態様に係る防食剤噴流装置の一態様である。第６態様に係る防食剤噴流装置は、前記噴流部の前記一対の側面の間に前記端子付電線の前記接続部が位置するように前記噴流部を支持することが可能な噴流部支持部と、前記噴流部支持部及び前記端子付電線支持部の少なくとも一方を、前記噴流部から前記液状の防食剤が供給されている状態において、前記端子付電線支持部に支持された状態の前記端子付電線の延在方向及び前記延出部の延出方向に移動させることが可能な移動機構と、をさらに備える。
【００１５】
第７態様に係る防食剤噴流装置は、第５態様又は第６態様に係る防食剤噴流装置の一態様である。第７態様に係る防食剤噴流装置は、並列状に並んだ状態の複数の前記端子付電線を一括して支持可能な前記端子付電線支持部を備える。
【００１６】
第８態様に係る防食剤噴流装置は、第５態様から第７態様のいずれか１つに係る防食剤噴流装置の一態様である。第８態様に係る防食剤噴流装置は、第２態様又は第３態様に係る噴流部を備え、前記端子付電線支持部は、前記端子付電線の前記端子における相手側部材との接点部が前記噴流部の前記第二縁部側に位置するように、前記端子付電線を支持する。
【００１７】
第９態様に係る端子付電線製造方法は、絶縁電線と前記絶縁電線の芯線に接続された端子とを備える端子付電線に防食剤を供給することで止水された端子付電線の製造方法であって、第１態様から第４態様のいずれか１つに係る噴流部を用い、前記端子付電線を前記絶縁電線と前記端子との接続部における前記芯線が下方に露出するように支持する工程と、前記端子付電線における前記接続部の前記下方側に前記噴流部を配設し、前記液状の防食剤を前記噴流部を介して上方に案内することで、前記接続部に前記液状の防食剤を供給する工程と、前記液状の防食剤を硬化させる工程と、を備える。
【発明の効果】
【００１８】
上記の各態様において、噴流部は、供給孔の両側の部分から上方に向けて延出する一対の側面が形成された延出部を備える。このため、供給孔から噴出した液状の防食剤の頂上部分を、一対の側面の対向方向において比較的直線的にすることができる。このため、液状の防食剤を供給する工程において、端子付電線が端子の幅方向において正規の位置からずれた場合であっても、端子付電線の接続部が液状の防食剤に十分に接する状態を作り易い。従って、液状の防食剤を上方に向けて案内する噴流部において、端子付電線の接続部により確実に液状の防食剤を供給することが可能となる。
【００１９】
また、第２態様において、第一端面が、第二端面に比べ、供給孔側からその反対側へ下るように大きく傾斜して形成されている。この場合、供給孔から噴出した液状の防食剤が、第一端面側から流れ落ちやすくなる。即ち、第二端面側から液状の防食剤が流れ落ちにくい状況を作ることができる。このため、端子付電線における液状の防食剤が付着することが好ましくない部分に、液状の防食剤が付着することを抑制できる。
【００２０】
また、第３態様において、第二縁部の位置が第一縁部の位置よりも上方側に存在する。この場合、供給孔から噴出した液状の防食剤が、第一縁部側から流れ落ちやすくなる。即ち、第二縁部側から液状の防食剤が流れ落ちにくい状況を作ることができる。このため、端子付電線における液状の防食剤が付着することが好ましくない部分に、液状の防食剤が付着することを抑制できる。
【００２１】
また、第４態様において、噴流部は、一方向に沿って並列に並んだ供給孔が複数形成された供給部と、複数の供給孔それぞれの両側に設けられた複数の一対の側面を含む延出部と、を備えるため、複数の端子付電線に対して一括して液状の防食剤を供給する工程を行うことができる。
【００２２】
また、第５態様においては、端子付電線支持部によって支持された端子付電線に噴流部を介して液状の防食剤が供給される。このとき、噴流部は、供給孔の両側の部分から上方に向けて延出する一対の側面が形成された延出部を備えるため、液状の防食剤を供給する工程において、端子付電線が端子の幅方向において正規の位置からずれた場合であっても、端子付電線の接続部が液状の防食剤に十分に接する状態を作り易い。従って、第５態様における防食剤噴流装置においては、液状の防食剤を上方に向けて案内する噴流部を用いて端子付電線の接続部により確実に液状の防食剤を供給することが可能となる。
【００２３】
また、第６態様においては、噴流支持部及び端子付電線支持部の少なくとも一方を、噴流部から液状の防食剤が供給されている状態において、端子付電線支持部に支持された状態の端子付電線の延在方向及び延出部の延出方向に移動させることが可能な移動機構をさらに備える。この場合、噴流部から噴出する液状の防食剤の頂上部分が端子付電線における止水を必要とする部分（接続部）に沿うように、噴流部の位置及び端子付電線の位置の少なくとも一方を移動させることで、接続部に液状の防食剤を供給することができる。このため、端子付電線の端子の形状等によって端子付電線における接続部の形状が変更となった場合でも、噴流支持部及び端子付電線支持部の少なくとも一方を移動させることで対応可能となる。即ち、第６態様の防食剤噴流装置は、様々な端子付電線に対応でき、汎用性に優れている。
【００２４】
また、第７態様において、防食剤噴流装置は、並列状に並んだ状態の複数の端子付電線を一括して支持可能な端子付電線支持部を備えるため、複数の端子付電線に対して一括して液状の防食剤を供給する工程を行うことができる。
【００２５】
また、第８態様において、端子付電線支持部は、端子付電線の端子における相手側部材との接点部が噴流部の第二縁部側に位置するように、端子付電線を支持する。この場合、端子の接点部に、液状の防食剤がかかってしまうことを抑制できる。
【００２６】
また、第９態様においては、噴流部を介して液状の防食剤が端子付電線の接続部に供給される。このとき、噴流部は、供給孔の両側の部分から上方に向けて延出する一対の側面が形成された延出部を備えるため、液状の防食剤が供給される工程において、端子付電線が端子の幅方向において正規の位置からずれた場合であっても、端子付電線の接続部が液状の防食剤に十分に接する状態を作り易い。従って、第９態様における端子付電線製造方法においては、液状の防食剤を上方に向けて案内する噴流部を用いて端子付電線の接続部により確実に液状の防食剤を供給することが可能となる。
【図面の簡単な説明】
【００２７】
【図１】第１実施形態に係る噴流部の一部切り欠き斜視図である。
【図２】第１実施形態に係る噴流部の断面図である。
【図３】第１実施形態に係る噴流部の側面図である。
【図４】第１実施形態に係る噴流部と端子付電線との一部切り欠き斜視図である。
【図５】第１実施形態に係る噴流部と端子付電線との正面図である。
【図６】第１実施形態に係る噴流部と端子付電線との側面図である。
【図７】端子付電線製造装置の概略図である。
【図８】防食剤供給装置における端子付電線支持部の概略図である。
【図９】防食剤供給装置の概略図である。
【図１０】防食剤供給装置における端子付電線支持部の概略図である。
【図１１】防食剤供給装置の概略図である。
【図１２】防食剤供給装置の概略図である。
【図１３】防食剤供給装置の概略図である。
【図１４】防食剤供給装置における噴流部と端子付電線との正面図である。
【図１５】防食剤を伴う端子付電線の側面図である。
【図１６】第２実施形態に係る噴流部の側面図である。
【発明を実施するための形態】
【００２８】
以下、添付の図面を参照しつつ、実施形態について説明する。以下の実施形態は、本発明を具現化した一例であり、本発明の技術的範囲を限定する事例ではない。
【００２９】
＜第１実施形態＞
まず、図１〜６を参照しつつ、第１実施形態に係る噴流部１００について説明する。噴流部１００は、液状の防食剤８０を上方に案内することが可能である。噴流部１００は、端子付電線９の止水構造を成す防食剤８１を供給する部分である。なお、端子付電線９の止水構造を成す防食剤８１は、液状の防食剤８０が硬化した部材である。
【００３０】
図１に示されるように、噴流部１００は、供給部２と供給部２から上方に延出する延出部３とを備える。なお、図１は、噴流部１００の一部切り欠き斜視図である。
【００３１】
＜噴流部：供給部＞
噴流部１００において、供給部２には、液状の防食剤８０が通過する供給孔２５が形成されている。例えば、供給孔２５の一方の端部には、液状の防食剤８０の供給源が接続されている。また、供給孔２５の他方側の端部は、上方を向く開口２９が形成されている。
【００３２】
また、本実施形態は、供給部２が、一方向に沿って並列に並んだ複数の供給孔２５を含む場合の事例である。図１に示されるように、本実施形態では、供給部２が３つの供給孔２５を含む場合が示されている。
【００３３】
本実施形態では、３つの供給孔２５は、噴流部１００の上方から下方に向かう方向に沿って延在する空間である。そして、３つの供給孔２５のうち真ん中に位置する供給孔２５の開口２９側に対し他方側（下方側）の端部には、外部に設置された液状の防食剤８０の供給源から供給される液状の防食剤８０が通過する第一通過部１３４が形成されている。
【００３４】
また、供給部２に形成された３つの供給孔２５は、噴流部１００の下方側に形成された第二通過部１３５によって繋がっている。従って、液状の防食剤８０の供給源から供給された液状の防食剤８０は、第一通過部１３４を通って外部から供給部２の真ん中の供給孔２５に供給され、その後、第二通過部１３５を通り、真ん中の供給孔２５からその両側の供給孔２５にも供給される。即ち、本実施形態では、供給部２に形成された１つの第一通過部１３４から供給された液状の防食剤８０が、３つの供給孔２５の開口２９から上方に向かって噴出される。
【００３５】
＜噴流部：延出部＞
噴流部１００において、延出部３は、供給部２における供給孔２５の上方側の開口２９の両側の部分から上方に向けて延出する一対の側面３０が形成された部分である。なお、本実施形態は、供給部２が、複数（本例では３つ）の供給孔２５を含む場合の事例である。従って、延出部３は、複数（本例では３つの）の供給孔２５それぞれの両側に設けられた複数（本例では３つ）の一対の側面３０を含む。
【００３６】
一対の側面３０は、噴流部１００の下方から上方に向かう方向に沿う面である。一対の側面３０は、互いに平行となるように設けられていることが好ましい。
【００３７】
＜噴流部：第一端面及び第二端面＞
本実施形態においては、開口２９の周囲に設けられた供給部２における上方側の端面２８は、一対の側面３０の対向方向の両側に設けられた第一縁部側の第一端面２１と第二縁部側の第二端面２２とを含む。
【００３８】
第一縁部及び第二縁部は、延出部３の延出方向において、同じ位置に設けられている。そして、第一端面２１が、第二端面２２に比べ、供給孔２５側からその反対側へ下るように大きく傾斜して形成されている。
【００３９】
図１，３に示されるように、本実施形態では、第二端面２２は、平らな面に構成されている。なお、平らな第二端面２２においては、第二端面２２における開口２９側の縁とその反対側の縁とが、延出部３の延出方向において、同じ位置に設けられている。
【００４０】
一方、第一端面２１は、供給孔２５側からその反対側へ下るように傾斜して形成されている。即ち、第一端面２１においては、第一端面２１における開口２９側の縁が、その反対側の縁よりも、延出部３の延出方向において、延出部３の先端側に設けられている。
【００４１】
また、本実施形態においては、第一端面２１は、平面に構成されている。しかしながら、第一端面２１が、湾曲面である場合も考えられる。
【００４２】
なお、本実施形態では、第一端面２１が傾斜した面であり、第二端面２２が平らな面である場合が示されている。しかしながら、第二端面２２も傾斜した面である場合も考えられる。この場合、第二端面２２は、供給孔２５側からその反対側へ下るように傾斜して形成され、さらに、その傾斜が第一端面２１の傾斜よりも小さい場合が考えられる。また、第二端面２２が、供給孔２５側からその反対側へ上るように傾斜している場合も考えられる。
【００４３】
＜噴流部＞
本実施形態においては、噴流部１００は、３枚の板状の部材が重ね合わされることで構成される場合が示されている。以下、噴流部１００を構成する３枚の板状の部材を、それぞれ第一板状部材１１、第二板状部材１２及び第三板状部材１３と称して説明する。
【００４４】
第三板状部材１３は、図１に示されるように、第一板状部材１１と第二板状部材１２との間に介在する部材である。第一板状部材１１及び第二板状部材１２は、第三板状部材１３を挟むように設けられた部材である。
【００４５】
そして、本実施形態においては、図１に示されるように、第一板状部材１１の上方側の端面は、傾斜して形成され、第二板状部材１２の上方側の端面は、平らに形成されている。第一板状部材１１の上方側の端面は、第一端面２１を成す。また、第二板状部材１２の上方側の端面は、第二端面２２を成す。
【００４６】
はじめに、第三板状部材１３について説明する。第三板状部材１３は、図１，２に示されるように、櫛状に形成されている。即ち、第三板状部材１３は、一方向に沿って間隔を空けて並ぶ複数の起立部分１３１と、複数の起立部分１３１の根元側で連なり上記一方向に沿って延びて形成された根元部分１３２と、を含む。なお、図２は、第三板状部材１３の断面図である。図２は、第三板状部材１３が延在する平面と平行な線における断面図である。
【００４７】
従って、隣り合う起立部分１３１間には、隣接する２つ起立部分１３１と２つの起立部分１３１間に存在する根元部分１３２とによって形成される溝１３３が形成される。なお、本実施形態では、第三板状部材１３が、４つの起立部分１３１を含み、これにより、３つの溝１３３が形成される場合が示されている。
【００４８】
また、本実施形態において、最も外側に位置する起立部分１３１以外の起立部分１３１の根元側の部分は、隣り合う溝１３３同士を繋ぐための空間を成す第二通過部１３５が形成されている。
【００４９】
第二通過部１３５は、例えば、起立部分１３１に両側に存在する一方側の溝１３３から他方側の溝に１３３に貫通するように形成された貫通孔である場合又は起立部分１３１の両側に存在する一方側の溝１３３から他方側の溝に１３３に貫通するように形成された凹みである場合等が考えられる。
【００５０】
また、本実施形態において、根元部分１３２には、液状の防食剤８０が供給される第一通過部１３４が形成されている。第一通過部１３４は、液状の防食剤８０の供給源から供給された液状の防食剤８０を、外部から溝１３３に供給する部分である。従って、第一通過部１３４は、例えば、根元部分１３２によって仕切られた外部から溝１３３へ貫通するように形成された貫通孔である場合又は外部から溝１３３へ貫通するように形成された凹みである場合等が考えられる。
【００５１】
また、本実施形態では、図２に示されるように、第一通過部１３４は、根元部分１３２の一箇所に形成されている場合が示されている。これは、上述のように、起立部分１３１に第二通過部１３５が形成されているためである。この場合、第一通過部１３４を通過して供給された液状の防食剤８０は、第二通過部１３５を通り、第一通過部１３４が連なる溝１３３の両側の溝１３３にも供給される。
【００５２】
次に、第一板状部材１１及び第二板状部材１２について説明する。図３に示されるように、第一板状部材１１は、第三板状部材１３の一方の主面側に設けられ、溝１３３に重なる位置に設けられる部分を含む。また、第二板状部材１２は、第三板状部材１３の他方の主面側に設けられ、溝１３３に重なる位置に設けられる部分を含む。なお、図３は、噴流部１００の側面図である。
【００５３】
即ち、第一板状部材１１及び第二板状部材１２は、第三板状部材１３の一方の主面から他方の主面に向かう方向において、溝１３３を挟むようにその両端にそれぞれ設けられる。これにより、第一板状部材１１の第三板状部材１３側の主面と、第二板状部材１２の第三板状部材１３側の主面と、溝１３３が成す面と、によって囲まれた凹状の空間が形成される。この凹状の空間は、供給部２における供給孔２５を成す。
【００５４】
なお、本実施形態では、第一板状部材１１及び第二板状部材１２は、ともに、一方の端に位置する起立部分１３１から他方の端に位置する起立部分１３１までの範囲に延在するように形成された平板状の部材である。このため、第一板状部材１１は、第一板状部材１１の一方の主面と第三板状部材１３の一方の主面とが接するように配置される。また、第二板状部材１２は、第二板状部材１２の一方の主面と第三板状部材１３の他方の主面とが接するように配置される。
【００５５】
従って、本実施形態では、第一板状部材１１及び第二板状部材１２が第三板状部材１３のそれぞれの主面に接した状態で、第一板状部材１１における溝１３３に重なる部分の第三板状部材１３側の面と、第二板状部材１２における溝１３３に重なる部分の第三板状部材１３側の面と、溝１３３が成す面と、によって囲まれた空間が、供給部２の供給孔２５を成す。
【００５６】
また、第一板状部材１１及び第二板状部材１２が第三板状部材１３に接するように配置された状態において、第三板状部材１３の起立部分１３１の先端側の部分は、第一板状部材１１の第一端面２１及び第二板状部材１２の第二端面２２よりも上方側に突出している。そして、この第三板状部材１３の起立部分１３１における第一板状部材１１及び第二板状部材１２から突出した先端の部分が、噴流部１００における延出部３を成す。
【００５７】
本実施形態では、上述のように、噴流部１００においては、第一端面２１が、第二端面２２に比べ、供給孔２５側からその反対側へ下るように大きく傾斜して形成されている場合の事例である。また、第二端面２２が平らな面であり、第一端面２１が傾斜した面である場合の事例である。従って、噴流部１００を構成する第二板状部材１２の第二端面２２は、平らな面に構成されている。また、噴流部１００を構成する第一板状部材１１の第一端面２１は、第三板状部材１３側からその反対側へ下るように傾斜して形成されている。
【００５８】
以上のように、本実施形態では、噴流部１００における供給部２は、第一板状部材１１、第二板状部材１２及び第三板状部材１３が重なった部分によって形成され、また、噴流部１００における延出部３は、第三板状部材１３の起立部分１３１における第一板状部材１１及び第二板状部材１２から突出する部分によって形成される場合が示されている。
【００５９】
なお、第一板状部材１１、第二板状部材１２及び第三板状部材１３は、例えば、下方側に設けられた枠に嵌め込まれることで重ね合わされた状態が維持される場合或いはネジ留め等によって重ね合わされた状態が維持される場合等が考えられる。
【００６０】
＜液状の防食剤を上方に案内する状態の噴流部＞
次に、図４〜６を参照しつつ、液状の防食剤８０を上方に案内する状態の噴流部１００について説明する。即ち、噴流部１００から液状の防食剤８０が噴出される様子を説明する。図４は、液状の防食剤８０が噴出する状態の噴流部１００の一部切り欠き斜視図である。なお、図４には、端子付電線９も示されている。図５は、液状の防食剤８０が噴出する状態の噴流部１００の正面図である。なお、図５には、液状の防食剤８０の頂上部分に接する位置に支持された端子付電線９が断面図で示されている。図６は、液状の防食剤８０が噴出する状態の噴流部１００の側面図である。なお、図６には、液状の防食剤８０の頂上部分に接する位置に支持された端子付電線９が仮想線（二点鎖線）で示されている。
【００６１】
まず、端子付電線９について説明する。端子付電線９は、絶縁電線９１と絶縁電線９１の芯線９１０に接続された端子９２とを備える。
【００６２】
絶縁電線９１は、例えば、芯線９１０と芯線９１０の周囲を覆う絶縁被覆とを備える。この場合、芯線９１０は、例えば、銅又はアルミニウム等の金属を主成分とする部材であることが考えられる。また、絶縁被覆は、例えば、ポリエチレン又は塩化ビニル等を主成分とする合成樹脂の部材であることが考えられる。
【００６３】
端子９２は、絶縁電線９１の端部において露出した芯線９１０に接続されている。なお、本実施形態では、端子９２は、絶縁電線９１の芯線９１０に圧着されて接続されている。
【００６４】
即ち、本実施形態では、端子９２は、絶縁電線９１の芯線９１０に圧着可能な第一圧着部９２１を含んでいる。また、図４に示されるように、本実施形態では、端子９２は、絶縁電線９１の絶縁被覆の端部に圧着可能な第二圧着部９２２も含んでいる。また、端子９２は、相手側部材に接続可能な接点部９３も含んでいる。
【００６５】
第一圧着部９２１は、絶縁電線９１に端部の芯線９１０の周囲を覆う状態でかしめられることで、芯線９１０に接続される。また、第二圧着部９２２も、絶縁電線９１の絶縁被覆の端部の周囲を覆う状態でかしめられることで絶縁被覆に接続される。
【００６６】
以下では、端子９２と絶縁電線９１との接続部分を接続部９９と称して説明する。なお、本実施形態は、接続部９９が、芯線９１０と第一圧着部９２１との接続部分である第一接続部９９１と、絶縁被覆と第二圧着部９２２との接続部分である第二接続部９９２と、を含む場合の事例である。
【００６７】
次に、液状の防食剤８０について説明する。液状の防食剤８０は、例えば、熱硬化性樹脂又は紫外線硬化性樹脂等の樹脂であることが考えられる。なお、本実施形態は、液状の防食剤８０が、紫外線硬化樹脂及び熱硬化性樹脂を両方の混合物を含む場合の事例である。この場合、紫外線及び熱を与えることで、より確実に液状の防食剤８０を硬化させることができる。なお、液状の防食剤８０が、光硬化樹脂又は湿気硬化樹脂等の樹脂であってもよい。
【００６８】
噴流部１００においては、供給孔２５を通過した液状の防食剤８０は、開口２９から上方に向けて噴出する。このとき、一対の側面３０を含む延出部３が開口２９に形成されていることで、開口２９から噴出する液状の防食剤８０は、一対の側面３０の対向方向の両側から流れ落ちる。ここで、液状の防食剤８０における一対の側面３０に向って流れる部分は、一対の側面３０に接触する。一対の側面３０に接触することで液状の防食剤８０は、せき止められ、盛り上がる。また、一対の側面３０に接触した状態における液状の防食剤８０の表面張力によっても盛り上がる。これら双方又はいずれかの理由により、液状の防食剤８０における一対の側面３０に接する部分が盛り上がり、その結果、図５に示されるように、供給孔２５から噴出した液状の防食剤８０の頂上部分が、一対の側面３０の対向方向において比較的直線的になる。
【００６９】
そして、端子付電線９は、接続部９９における芯線９１０が噴流部１００の開口２９側に露出した状態で、噴流部１００の開口２９に近付けられる。端子付電線９が液状の防食剤８０の頂上部分に接することで、接続部９９に液状の防食剤８０が供給される。
【００７０】
このとき、図５に示されるように、液状の防食剤８０の頂上部分が、一対の側面３０の対向方向において直線的にすることができる。即ち、延出部３の延出方向において、液状の防食剤８０の高さ（位置）が比較的均一である。そのため、端子付電線９が一対の側面３０の対向方向において、位置がずれた場合でも、液状の防食剤８０の頂上部分に十分に接する状態を作ることができる。なお、図５には、位置がずれた状態の端子付電線９が仮想線（二点鎖線）で示されている。
【００７１】
＜端子付電線製造方法及び端子付電線製造装置＞
次に、図７〜１３を参照しつつ、止水構造を有する端子付電線を製造する端子付電線製造方法及びこの製造方法において使用する端子付電線製造装置９９９について説明する。なお、噴流部１００を備える防食剤噴流装置１０は、端子付電線製造装置９９９に含まれている。また、図７は、端子付電線製造装置９９９の全体を示す概略図である。
【００７２】
図７に示されるように、端子付電線製造装置９９９においては、第二接続部９９２に液状の防食剤８０を供給するプロセス１Ａと、第一接続部９９１に液状の防食剤８０を供給するプロセス１Ｂと、液状の防食剤８０を熱硬化させるプロセス１Ｃと、硬化した防食剤８１を検査するプロセス１Ｄと、を行うことが可能である。
【００７３】
本実施形態では、端子付電線製造装置９９９は、６つのステーション９５を備える。なお、図７では、便宜上、各ステーション９５を区分けして示している。
【００７４】
端子付電線製造装置９９９において、最初に行われるプロセス１Ａは、１番目のステーション９５で行われる。また、プロセス１Ｂは、２番目のステーション９５で行われる。また、プロセス１Ｃは、３番目〜５番目のステーション９５で行われる。また、プロセス１Ｄは、６番目のステーション９５で行われる。
【００７５】
本実施形態では、防食剤８１が設けられていない状態の端子付電線９が、６つのステーション９５に順次搬送され、各プロセス１Ａ〜１Ｄを経由することで、硬化した防食剤８１が設けられた止水構造を有する端子付電線９を得ることができる。なお、本実施形態では、複数（本例では３つ）の端子付電線９を一括して各ステーション９５に順次搬送する場合が示されている。以下では、複数（本例では３つ）の端子付電線９を端子付電線群９Ｙと称する。
【００７６】
即ち、本実施形態において、端子付電線製造装置９９９は、複数の端子付電線群９Ｙを各ステーション９５に順次搬送可能な搬送部８００を含む。搬送部８００は、端子付電線群９Ｙを次のステーション９５に搬送可能に構成されている。搬送部８００は、後述する第一支持部２０１を一定間隔で移動させることが可能に構成されている。搬送部８００は、ベルト又はチェーン等が巻きかけられた歯車をモータ等の回転駆動部によって回転させることで第一支持部２０１に支持された端子付電線群９Ｙを順次各ステーション９５に搬送する。また、エアシリンダ又は油圧シリンダ等の動力シリンダによって構成された搬送部８００が、第一支持部２０１を順次各ステーション９５に搬送するように駆動させる場合も考えられる。
【００７７】
端子付電線製造装置９９９においては、端子付電線群９Ｙは、各ステーション９５に時間Ｔだけ滞在する。そして、時間Ｔ経過後、端子付電線群９Ｙは、搬送部８００によって、次のステーション９５に搬送される。このようにして、端子付電線群９Ｙが上記６つのステーション９５全てを経由することで、液状の防食剤８０が硬化した防食剤８１を備える端子付電線９を得ることができる。
【００７８】
ここで、本実施形態では、端子付電線群９Ｙが連続的に搬送される。従って、ある１つのステーション９５に端子付電線群９Ｙが滞在する状態において、上記ある１つのステーション９５の１つ前のステーション９５には、別の端子付電線群９Ｙが滞在した状態が作られる。このため、端子付電線製造装置９９９においては、複数の端子付電線群９Ｙが各ステーション９５に滞在する状態が作られる。
【００７９】
なお、プロセス１Ｃが、３つのステーション９５に分けられていることについては、液状の防食剤８０を熱硬化させる際に、比較的多くの時間を要するためである。このため、端子付電線製造装置９９９においては、液状の防食剤８０を熱硬化させるプロセス１Ｃを３つのステーション９５で行うことで、比較的時間を要する熱硬化作業に対応している。
【００８０】
本実施形態において、噴流部１００を備える防食剤噴流装置１０は、プロセス１Ａ及びプロセス１Ｂにおいて用いられる。次に、図７〜１４を参照しつつ、噴流部１００を備える防食剤噴流装置１０について説明する。防食剤噴流装置１０における各構成要素の駆動は、一般的なコンピューターによって構成される制御ユニットによって制御されている。
【００８１】
＜防食剤噴流装置＞
防食剤噴流装置１０は、噴流部１００の他に、端子付電線支持部２００及び防食剤供給部３００を備える。また、本実施形態では、防食剤噴流装置１０は、さらに、噴流部支持部４００及び移動機構５００をさらに備えている。
【００８２】
図８，１０は、防食剤噴流装置１０の端子付電線支持部２００を示す概略図である。図９，１１〜１３は、防食剤噴流装置１０を示す概略図である。図１４は、液状の防食剤８０を噴出させた状態の噴流部１００及び端子付電線９の正面図である。
【００８３】
＜防食剤噴流装置：端子付電線支持部＞
防食剤噴流装置１０において、端子付電線支持部２００は、絶縁電線９１と端子９２とを備える端子付電線９を、接続部９９における芯線９１０が下方に露出するように支持可能である。なお、本実施形態では、端子付電線支持部２００が、並列状に並んだ状態の複数（本例では３つ）の端子付電線９を一括して支持可能な場合が示されている。
【００８４】
図８〜１０に示されるように、本実施形態においては、端子付電線支持部２００は、搬送部８００に載せられ、端子付電線９を上方と下方とから挟むことで支持する第一支持部２０１と、端子付電線９を両側方から挟むことで支持することが可能な爪部２０９を含む第二支持部２０２と、を備える。
【００８５】
第一支持部２０１は、端子付電線９の接続部９９における芯線９１０が下方に露出した状態で、端子付電線９を上方と下方とから挟むことで支持する部分である。また、第一支持部２０１は、搬送部８００に載せられている。従って、第一支持部２０１は、プロセス１Ａ及びプロセス１Ｂにおけるステーション９５を経由後、プロセス１Ｃ及びプロセス１Ｄにおけるステーション９５に搬送される。
【００８６】
第二支持部２０２は、エアシリンダ、油圧シリンダ、リニアモータ等のアクチュエータによって構成された昇降機構によって、端子付電線９の上方側、即ち、端子９２の底面側から降下可能に支持されている。また、第二支持部２０２は、搬送部８００によって搬送された第一支持部２０１によって支持された端子付電線９の上方側から降下した後で、端子付電線９の両側方から挟むことが可能な爪部２０９を含む。爪部２０９は、一対の挟持爪を含む。爪部２０９においては、電磁チャック、エアチャック等のアクチュエータによって構成された開閉機構が、一対の挟持爪を開閉駆動することで、端子付電線９を挟み支持することが可能である。
【００８７】
そして、第二支持部２０２は、端子付電線９の端子９２の底面に当接可能な面に構成された当接面２０３を含む。本実施形態では、当接面２０３は、平面に構成されている。第二支持部２０２が、端子付電線９の上方側から降下し、端子９２の底面に当接面２０３が接触することで、端子９２を液状の防食剤８０を供給する作業に適した良好な角度で支持することが可能となる。例えば、本実施形態においては、防食剤噴流装置１０を支持する作業台９９５に対し、端子９２が平行となるように、第二支持部２０２の当接面２０３が端子９２の底面に接した状態で端子付電線９が支持される場合が考えられる。
【００８８】
なお、本実施形態においては、端子付電線支持部２００によって、並列状に並んだ状態の複数（本例では３つ）の端子付電線９が一括して支持される。従って、第一支持部２０１及び第二支持部２０２は、ともに複数（本例では３つ）の端子付電線９各々を挟んで支持可能に構成されている。
【００８９】
また、本実施形態では、端子付電線支持部２００は、端子付電線９の端子９２における接点部９３が、噴流部１００の第二端面２２側に位置するように、端子付電線９を支持する。即ち、液状の防食剤８０が接続部９９に供給される状態において、端子付電線支持部２００は、端子９２の接点部９３が噴流部１００の第二端面２２側に位置した状態を維持することが可能に構成されている。この場合、端子９２の接点部９３に液状の防食剤８０がかかってしまうことが抑制される。
【００９０】
＜防食剤噴流装置：防食剤供給部＞
防食剤噴流装置１０において、防食剤供給部３００は、液状の防食剤８０を貯蔵し、噴流部１００の供給孔２５に液状の防食剤８０を供給可能である。本実施形態において、防食剤供給部３００は、貯蔵漕３０１と供給部３０２と供給管３０３と貫通管３０４とを含む。
【００９１】
貯蔵漕３０１は、大量の液状の防食剤８０を貯蔵する漕である。なお、図９に示されるように、噴流部１００は、貯蔵漕３０１の内部に設けられている。即ち、噴流部１００は、大量の液状の防食剤８０に浸かった状態で設置されている。
【００９２】
供給部３０２は、貯蔵漕３０１に貯蔵された液状の防食剤８０を取り込み、噴流部１００の供給孔２５に供給する部分である。なお、本実施形態では、後述する噴流部支持部４００における支持部４０１の一方面側に貯蔵漕３０１が設けられ、他方面側に供給部３０２が設けられる場合が示されている。従って、例えば、貯蔵漕３０１と供給部３０２とは、支持部４０１を貫通する貫通管３０４によって繋がれていることが考えられる。この場合、貯蔵漕３０１に溜められた液状の防食剤８０は、貫通管３０４を通り供給部３０２に取り込まれる。なお、貯蔵漕３０１と供給部３０２とが、支持部４０１を迂回するように配設された管によって繋がれている場合も考えられる。
【００９３】
供給管３０３は、供給部３０２と噴流部１００の供給孔２５とを繋ぐ管である。従って、本実施形態では、供給部３０２は、供給管３０３に対し、貯蔵漕３０１から取り込んだ液状の防食剤８０を供給することで、供給管３０３を介して供給孔２５に液状の防食剤８０を供給する。
【００９４】
なお、本実施形態では、供給管３０３の一端は、供給部３０２に接続され、供給管３０３の他端は、噴流部１００の第一通過部１３４に接続される。これにより、供給部３０２から供給される液状の防食剤８０が、供給管３０３を通り、噴流部１００の第一通過部１３４に供給される。そして、図２に示されるように、第一通過部１３４に供給された液状の防食剤８０は、第二通過部１３５を通過し、噴流部１００における３つの供給孔２５に供給される。
【００９５】
＜防食剤噴流装置：噴流部支持部及び移動機構＞
防食剤噴流装置１０において、噴流部支持部４００は、噴流部１００の一対の側面３０の間に端子付電線９の接続部９９が位置するように噴流部１００を支持することが可能である。本実施形態において、噴流部支持部４００は、支持部４０１と移動機構５００とを備える。
【００９６】
移動機構５００は、噴流部支持部４００及び端子付電線支持部２００の少なくとも一方を、噴流部１００から液状の防食剤８０が供給されている状態において、端子付電線支持部２００に支持された状態の端子付電線９の延在方向及び延出部３の延出方向に移動させることが可能である。なお、本実施形態では、移動機構５００が、噴流部支持部４００を移動させることを可能にする機構である場合を説明する。
【００９７】
図８〜１０に示されるように、本実施形態において、移動機構５００は、第一駆動部５１１と第一可動部５１２と第二駆動部５２１と第二可動部５２２とを含む。第一駆動部５１１及び第二駆動部５２１は、エアシリンダ、油圧シリンダ、リニアモータ等のアクチュエータによって構成されていることが考えられる。そして、第一可動部５１２は、第一駆動部５１１によってある一方向に沿って移動可能に支持されている。また、第二可動部５２２は、第二駆動部５２１によってある一方向に沿って移動可能に支持されている。
【００９８】
なお、図８〜１０に示されるように、第二駆動部５２１は、第一可動部５１２に支持されている。従って、第一駆動部５１１により動力を伝えられ第一可動部５１２が移動することで、第一可動部５１２に支持された第二駆動部５２１の位置も移動する。
【００９９】
本実施形態において、第一駆動部５１１は、作業台９９５に載せられた状態で固定されている。そして、第一可動部５１２は、第一駆動部５１１により作業台９９５の面に沿う方向に沿って移動可能である。即ち、本実施形態において、第一可動部５１２は、水平方向に移動可能である。
【０１００】
第二駆動部５２１は、第一可動部５１２の移動方向に直交する方向（作業台９９５の面に対し垂直な方向）に、第二可動部５２２を移動可能に支持している。即ち、本実施形態において、第二可動部５２２は、昇降方向に移動可能である。
【０１０１】
本実施形態において、支持部４０１は、第二可動部５２２から延出するように形成されている。本実施形態では、図８〜１０に示されるように、第二可動部５２２の移動方向に直交する方向に支持部４０１が延出して形成されている。即ち、支持部４０１は、第一可動部５１２の移動可能な方向に沿って延出して形成されている。
【０１０２】
また、支持部４０１には、防食剤供給部３００が設けられている。支持部４０１の一方の主面側には、貯蔵漕３０１が設けられ、支持部４０１の他方の主面側には、供給部３０２が設けられている。なお、噴流部１００は、貯蔵漕３０１の内部に設置されることで、貯蔵漕３０１を介して支持部４０１に支持されている。
【０１０３】
本実施形態においては、第一駆動部５１１及び第一可動部５１２により、第二駆動部５２１が水平方向に移動可能である。従って、第二駆動部５２１により支持された第二可動部５２２に支持された支持部４０１も、水平方向に移動可能である。ここで、第一駆動部５１１及び第一可動部５１２による支持部４０１の移動方向（水平方向）は、端子付電線９の延在方向と一致する。
【０１０４】
また、第二駆動部５２１及び第二可動部５２２により、第二可動部５２２に支持された支持部４０１は、昇降方向に移動可能である。ここで、第二駆動部５２１及び第二可動部５２２による支持部４０１の移動方向（昇降方向）は、延出部３の延出方向と一致する。
【０１０５】
従って、本実施形態では、移動機構５００が稼働することで、噴流部１００を端子付電線９の延在方向及び延出部３の延出方向に沿って移動させることが可能となる。この場合、端子付電線９の接続部９９の形状に応じて、噴流部１００を移動させることが可能となる。
【０１０６】
なお、本実施形態では、端子付電線９の端子９２の幅方向において、噴流部１００の位置を移動させるような機構を防食剤噴流装置１０が備えていないことが考えられる。この場合、移動機構５００によって噴流部１００が移動することで噴流部１００の一対の側面３０間に端子付電線９の接続部９９が位置することが可能となるように噴流部１００の位置が決められる。これは、本実施形態では、噴流部１００に設けられた延出部３によって液状の防食剤８０の頂上部分を直線的にすることができるため、噴流部１００を端子９２の幅方向に沿って移動させることを不要とすることが可能なためである。この場合、防食剤噴流装置１０を構成する装置数を抑制できる。
【０１０７】
＜端子付電線製造方法＞
次に、液状の防食剤８０が硬化した防食剤８１を備え、接続部９９が止水された端子付電線９の製造方法（端子付電線製造方法）について説明する。なお、本実施形態の端子付電線製造方法では、防食剤噴流装置１０及びこれを含む端子付電線製造装置９９９が用いられる場合を説明する。
【０１０８】
図７及び上述したように、本実施形態の端子付電線製造装置９９９は、６つのステーション９５を備える。そして、この６つのステーション９５において、プロセス１Ａ〜１Ｄが行われる。
【０１０９】
端子付電線製造方法は、第一工程と第二工程と第三工程とを備える。第一工程は、端子付電線９を接続部９９における芯線９１０が下方に露出するように支持する工程である。第二工程は、端子付電線９における接続部９９の下方側に噴流部１００をセットし、防食剤供給部３００より供給された液状の防食剤８０を、噴流部１００を介して上方に案内することで、接続部９９に液状の防食剤８０を供給する工程である。第三工程は、液状の防食剤８０を硬化させる工程である。
【０１１０】
本実施形態において、第一工程は、プロセス１Ａ及びプロセス１Ｂの開始時に行われる。また、第二工程は、プロセス１Ａ及びプロセス１Ｂにおいて行われる。また、第三工程は、プロセス１Ｃにおいて行われる。即ち、本実施形態では、プロセス１Ａにおいて、第一工程と第二工程とが行われた後、プロセス１Ｂにおいても第一工程と第二工程とが行われる場合を説明する。なお、プロセス１Ａとプロセス１Ｂとを統合させ、第一工程と第二工程とを１回ずつ行う場合も考えられる。
【０１１１】
＜端子付電線製造方法：第一工程（プロセス１Ａ）＞
本実施形態の第一工程においては、まず、プロセス１Ａの開始前の状態において、搬送部８００に載せられた第一支持部２０１に端子付電線９を接続部９９における芯線９１０が下方に露出するようにセットされる。
【０１１２】
そして、端子付電線９がセットされた第一支持部２０１が搬送部８００によって、１つ目のステーション９５に搬送される。ここで、１つ目のステーション９５に搬送された端子付電線９に対し、上方から第二支持部２０２が降下する。そして、図１０に示されるように、降下した第二支持部２０２における一対の爪部２０９が、端子付電線９を両側方から挟み支持するとともに、第二支持部２０２の当接面２０３が端子９２の底面に接触する。これにより、端子付電線９が、接続部９９における芯線９１０が下方に露出するように端子付電線支持部２００によって支持され、第一工程が完了する。
【０１１３】
＜端子付電線製造方法：第二工程（プロセス１Ａ）＞
第二工程においては、まず、プロセス１Ａにおける第一工程完了後、移動機構５００によって、噴流部１００が、端子付電線９における接続部９９の下方側に移動する。なお、本実施形態では、プロセス１Ａでは、第二接続部９９２に液状の防食剤８０が供給される。従って、プロセス１Ａにおいて行われる第二工程では、噴流部１００が、端子付電線９における第二接続部９９２の下方側に移動する。
【０１１４】
そして、図１１に示されるように、噴流部１００の延出部３の一対の側面３０間に、端子付電線９の第二接続部９９２が位置するように、噴流部１００が移動機構５００によって移動させられる。そして、噴流部１００の延出部３の一対の側面３０間に端子付電線９の第二接続部９９２が位置した状態において、防食剤供給部３００によって供給された液状の防食剤８０が噴流部１００の供給孔２５を通過し、噴流部１００の上方に案内される。これにより、端子付電線９の第二接続部９９２に液状の防食剤８０が供給される。
【０１１５】
本実施形態では、プロセス１Ａにおいて、液状の防食剤８０が供給されている間、噴流部１００は、第二接続部９９２の位置に留まる。第二接続部９９２においては、第二圧着部９２２と絶縁電線９１の絶縁被覆との間に液状の防食剤８０を十分に浸透させる必要があるためである。
【０１１６】
そして、端子付電線９がプロセス１Ａにおけるステーション９５に搬送され、時間Ｔ経過後、端子付電線９は、次のプロセス１Ｂにおけるステーション９５に搬送される。従って、プロセス１Ａにおいて、上記第一工程及び第二工程は、時間Ｔのうちに行われる。
【０１１７】
＜端子付電線製造方法：第一工程（プロセス１Ｂ）＞
プロセス１Ａの次のプロセス１Ｂにおいて行われる第一工程では、搬送部８００に載せられた第一支持部２０１に端子付電線９を接続部９９における芯線９１０が下方に露出するようにセットされた状態で、２つ目のステーション９５に搬送される。ここで、２つ目のステーション９５に搬送された端子付電線９に対し、上方から第二支持部２０２が降下する。そして、降下した第二支持部２０２における一対の爪部２０９が、端子付電線９を両側方から挟み支持するとともに、第二支持部２０２の当接面２０３が端子９２の底面に接触する。これにより、端子付電線９が、接続部９９における芯線９１０が下方に露出するように端子付電線支持部２００に支持され、第一工程が完了する。
【０１１８】
＜端子付電線製造方法：第二工程（プロセス１Ｂ）＞
第二工程においては、まず、プロセス１Ｂにおける第一工程完了後、移動機構５００によって、噴流部１００が、端子付電線９における接続部９９の下方側に移動する。なお、本実施形態では、プロセス１Ｂでは、第一接続部９９１に液状の防食剤８０が供給される。従って、プロセス１Ｂにおいて行われる第二工程では、噴流部１００が、端子付電線９における第一接続部９９１の下方側に移動する。本実施形態では、図１２に示されるように、第二圧着部９２２の絶縁電線９１側の位置に噴流部１００がセットされる。
【０１１９】
そして、図１２に示されるように、噴流部１００の延出部３の一対の側面３０間に、端子付電線９の第一接続部９９１の絶縁電線９１側の端部が位置するように、噴流部１００が移動機構５００によって移動する。そして、噴流部１００の延出部３の一対の側面３０間に端子付電線９の第一接続部９９１の絶縁電線９１側の端部が位置した状態において、防食剤供給部３００によって供給された液状の防食剤８０が噴流部１００の供給孔２５を通過し、噴流部１００の上方に案内される。これにより、端子付電線９の第一接続部９９１の絶縁電線９１側の端部に液状の防食剤８０が供給される。
【０１２０】
図１２，１３に示されるように、本実施形態では、プロセス１Ｂにおいて、液状の防食剤８０が供給されている間、第一接続部９９１の絶縁電線９１側の端部から第一接続部９９１の接点部９３側の端部の位置まで、噴流部１００が移動機構５００によって移動する。即ち、噴流部１００が第一移動機構５０１によって端子付電線９の延在方向に沿って移動する。これにより、噴流部１００の一対の側面３０間に位置する状態を維持したまま、第一接続部９９１における絶縁電線９１側の端部から接点部９３側の端部の位置まで、噴流部１００を移動させることが可能となる。
【０１２１】
また、端子９２の種類によっては、端子９２の高さ方向（延出部３の延出方向と一致する方向）において、噴流部１００を移動させる必要が生じることもある。この場合、第二移動機構５０２を用いて、噴流部１００を延出部３の延出方向に移動させることで対応することができる。即ち、第一接続部９９１の形状によっては、延出部３の延出方向に沿っても、第二移動機構５０２を用いて噴流部１００を移動させることで、第一接続部９９１に対し十分に液状の防食剤８０を供給することが可能となる。
【０１２２】
より具体的には、図１２に示されるように、移動機構５００によって、噴流部１００が端子付電線９の延在方向及び延出部３の延出方向に沿って移動する。本実施形態では、噴流部１００が、端子９２の底面側へ移動しつつ、端子９２の第二圧着部９２２側から接点部９３側へ移動する場合が示されている（矢印Ａ）。
【０１２３】
また、図１４に示されるように、噴流部１００が延出部３を備えるため、液状の防食剤８０の頂上部分は、一対の側面３０の対向方向において直線的にすることができる。このため、端子付電線９の位置が端子９２の幅方向にずれた場合でも第一接続部９９１に十分に液状の防食剤８０を供給することが可能となる。
【０１２４】
また、本実施形態では、噴流部１００の第二端面２２側に端子９２における接点部９３が位置するように、端子付電線９が支持されている。ここで、噴流部１００から噴出する液状の防食剤８０は、噴流部１００の第一端面２１側から流れ落ちやすい。このため、噴流部１００が端子付電線９における第一接続部９９１の接点部９３側の端部に位置する状態において、接点部９３に液状の防食剤８０がかかりにくい状態を作ることができる。
【０１２５】
＜端子付電線製造方法：第三工程＞
第三工程では、端子付電線９の接続部９９における液状の防食剤８０が硬化される。本実勢形態では、液状の防食剤８０は、紫外線硬化樹脂及び熱硬化性樹脂を含む。ここで、本実施形態では、プロセス１Ｂにおいて、液状の防食剤８０に紫外線を照射させ、液状の防食剤８０を硬化させる第三工程の一部が行われる。第一接続部９９１に設けられた液状の防食剤８０は、比較的広範囲に設けられているため、流れ落ちる前に早急に硬化させたいためである。従って、プロセス１Ｂにおいては、上記第一工程、第二工程及び第三工程の一部（紫外線照射作業）が、時間Ｔのうちに行われる。
【０１２６】
プロセス１Ｂの後、第三工程の残りの工程である液状の防食剤８０に熱を与え硬化させるプロセス１Ｃが、３つのステーション９５において行われる。本実施形態では、比較的早急に行うことが可能な紫外線硬化作業と比較的時間を要する熱硬化作業とが行われ、液状の防食剤８０が硬化することで、接続部９９を止水する防食剤８１が形成される。
【０１２７】
＜防食剤を伴う端子付電線＞
プロセス１Ａ〜１Ｃが完了し、第一工程〜第三工程が行われることで、図１５に示されるような接続部９９を止水する防食剤８１を伴う端子付電線９を得ることができる。なお、本実施形態では、プロセス１Ｃの後に行われるプロセス１Ｄにおいて、防食剤８１が接続部９９を十分に覆っているか否かを判定する画像検査が行われる。プロセス１Ｄにおいて、防食剤８１が接続部９９を十分に覆っていると判断されたものは、防食剤８１によって端子付電線９の接続部９９が止水されているものと判断される。このため、本実施形態では、プロセス１Ｄの完了後に、防食剤８１を伴う端子付電線９を得ることができる。
【０１２８】
＜効果＞
本実施形態において、噴流部１００は、供給孔２５の両側の部分から上方に向けて延出する一対の側面３０を含む延出部３を備える。このため、供給孔２５から噴出した液状の防食剤８０の頂上部分を、一対の側面３０の対向方向において比較的直線的にすることができる。このため、液状の防食剤８０を供給する工程において、端子付電線９が端子９２の幅方向において正規の位置からずれた場合であっても、端子付電線９の接続部９９が液状の防食剤８０に十分に接する状態を作り易い。従って、液状の防食剤８０を上方に向けて案内する噴流部１００において、端子付電線９の接続部９９により確実に液状の防食剤８０を供給することが可能となる。
【０１２９】
また、本実施形態において、第一端面２１が、第二端面２２に比べ、供給孔２５側からその反対側へ下るように大きく傾斜して形成されている。この場合、供給孔２５から噴出した液状の防食剤８０が、第一端面２１側から流れ落ちやすくなる。即ち、第二端面２２側から液状の防食剤８０が流れ落ちにくい状況を作ることができる。このため、端子付電線９における液状の防食剤８０がかかることが好ましくない部分（本例では接点部９３）に、液状の防食剤８０がかかってしまうことを抑制することができる。
【０１３０】
また、本実施形態において、噴流部１００は、一方向に沿って並列に並んだ供給孔２５が複数形成された供給部２と、複数の供給孔２５それぞれの両側に設けられた複数の一対の側面３０を含む延出部３と、を備える。このため、複数の端子付電線９に対して一括して液状の防食剤を供給する工程を行うことができる。
【０１３１】
また、本実施形態においては、端子付電線支持部２００によって支持された端子付電線９に噴流部１００を介して液状の防食剤８０が供給される。このとき、噴流部１００は、供給孔２５の両側の部分から上方に向けて延出する一対の側面３０が形成された延出部３を備える。このため、防食剤噴流装置１０においては、液状の防食剤８０を供給する工程（プロセス１Ａ及びプロセス１Ｂ）において、端子付電線９が端子９２の幅方向において正規の位置からずれた場合であっても、端子付電線９の接続部９９が液状の防食剤８０に十分に接する状態を作り易い。従って、防食剤噴流装置１０においては、液状の防食剤８０を上方に向けて案内する噴流部１００を用いて端子付電線９の接続部９９により確実に液状の防食剤８０を供給することが可能となる。
【０１３２】
また、本実施形態においては、噴流部支持部４００を端子付電線支持部２００に支持された状態の端子付電線９の延在方向及び延出部３の延出方向に移動させることが可能な移動機構５００をさらに備える。この場合、噴流部支持部４００から噴出する液状の防食剤８０の頂上部分が端子付電線９における止水を必要とする部分（本例では第一接続部９９１）に沿うように、噴流部１００の位置を移動させることで、端子付電線９における第一接続部９９１に液状の防食剤８０を供給することができる。このため、端子付電線９の端子９２の形状等によって端子付電線９における第一接続部９９１が変更となった場合でも、噴流部支持部４００を移動させることで対応可能となる。即ち、防食剤噴流装置１０は、様々な端子付電線９に対応でき、汎用性に優れている。
【０１３３】
また、本実施形態において、防食剤噴流装置１０は、並列状に並んだ状態の複数の端子付電線９を一括して支持可能な端子付電線支持部２００を備えるため、複数の端子付電線９に対して一括して液状の防食剤８０を供給する工程を行うことができる。
【０１３４】
また、本実施形態において、端子付電線支持部２００は、端子付電線９の端子９２における相手側部材との接点部９３が噴流部１００の第二端面２２（第二縁部）側に位置するように、端子付電線９を支持する。この場合、端子９２の接点部９３に、液状の防食剤８０がかかってしまうことを抑制できる。
【０１３５】
また、本実施形態における端子付電線製造方法においては、端子付電線９が端子９２の幅方向において正規の位置からずれた場合であっても、端子付電線９の接続部９９が液状の防食剤に十分に接する状態を作り易い。従って、液状の防食剤８０を上方に向けて案内する噴流部１００を用いて端子付電線９の接続部９９により確実に液状の防食剤８０を供給することが可能となる。
【０１３６】
＜第２実施形態＞
次に、図１６を参照しつつ、第２実施形態における噴流部１００Ａについて説明する。噴流部１００Ａにおいては、延出部３の延出方向において、第二縁部２２Ａの位置が、第一縁部２１Ａの位置よりも上方側に存在する点で第１実施形態と異なる。図１６は、噴流部１００Ａの側面図である。なお、図１６において、図１〜３に示される構成要素と同じ構成要素は、同じ参照符号が付されている。以下、本実施形態における第１実施形態と異なる点について説明する。
【０１３７】
噴流部１００Ａにおいては、第二縁部２２Ａの位置が第一縁部２１Ａの位置よりも上方側に存在する。即ち、第二端面２２の位置が、第一端面２１の位置よりも上方側（延出部３の先端側）に存在する。即ち、図１６に示されるように、第一端面２１の方が第二端面２２よりも低い位置に設けられている。このため、液状の防食剤８０は、第一端面２１側から流れ落ちやすくなる。
【０１３８】
なお、本実施形態では、第一端面２１が傾斜している場合が示されているが、第一端面２１が第二端面２２と同様に平らな面である場合も考えられる。
【０１３９】
本実施形態においても、噴流部１００Ａは、供給孔２５の両側の部分から上方に向けて延出する一対の側面３０を含む延出部３を備える。このため、供給孔２５から噴出した液状の防食剤８０の頂上部分を、一対の側面３０の対向方向において比較的直線的にすることができる。このため、液状の防食剤８０を供給する工程において、端子付電線９が端子９２の幅方向において正規の位置からずれた場合であっても、端子付電線９の接続部９９が液状の防食剤８０に十分に接する状態を作り易い。従って、液状の防食剤８０を上方に向けて案内する噴流部１００Ａにおいて、端子付電線９の接続部９９により確実に液状の防食剤８０を供給することが可能となる。
【０１４０】
また、本実施形態において、延出部３の延出方向において、第二縁部２２Ａの位置が第一縁部２１Ａの位置よりも上方側に存在する。この場合、供給孔２５から噴出した液状の防食剤８０が、第一縁部２１Ａ側から流れ落ちやすくなる。即ち、第二縁部２２Ａ側から液状の防食剤８０が流れ落ちにくい状況を作ることができる。このため、端子付電線９における液状の防食剤８０がかかることが好ましくない部分に、液状の防食剤８０がかかってしまうことを抑制することができる。
【０１４１】
なお、防食剤噴流装置１０における噴流部１００の代わりに、噴流部１００Ａを適用することも可能である。
【０１４２】
＜応用例＞
端子付電線９において、絶縁電線９１の芯線９１０と端子９２とが超音波溶接又は熱溶接等の溶接によって接続されている場合も考えられる。
【０１４３】
防食剤噴流装置１０において、プロセス１Ａとプロセス１Ｂとが統合される場合、即ち、第二接続部９９２から第一接続部９９１の接点部９３側の端まで１つの噴流部１００が移動することで、端子付電線９における接続部９９に液状の防食剤８０が供給される場合も考えられる。
【０１４４】
移動機構５００によって、端子付電線支持部２００が移動する場合も考えられる。この場合、噴流部１００は、噴流部支持部４００によって固定され、端子付電線支持部２００に支持された端子付電線９が移動することで、端子付電線９の接続部９９の一方の端から他方の端まで、液状の防食剤８０が供給されることが考えられる。なお、移動機構５００が、端子付電線支持部２００及び噴流部支持部４００を移動させる機構であってもよい。
【０１４５】
なお、本発明に係る噴流部、防食剤噴流装置及び端子付電線製造方法は、各請求項に記載された発明の範囲において、以上に示された各実施形態及び応用例を自由に組み合わせること、或いは、各実施形態及び応用例を適宜、変形する又は一部を省略することによって構成されることも可能である。
【符号の説明】
【０１４６】
１０  防食剤噴流装置
１００  噴流部
２  供給部
２００  端子付電線支持部
２１  第一端面
２２  第二端面
２５  供給孔
２９  開口
３  延出部
３０  側面
３００  防食剤供給部
４００  噴流部支持部
５００  移動機構
８０  防食剤
９  端子付電線
９１  絶縁電線
９１０  芯線
９２  端子
９９  接続部
【図１】
2016134341.tif 000003
【図２】
2016134341.tif 000004
【図３】
2016134341.tif 000005
【図４】
2016134341.tif 000006
【図５】
2016134341.tif 000007
【図６】
2016134341.tif 000008
【図７】
2016134341.tif 000009
【図８】
2016134341.tif 000010
【図９】
2016134341.tif 000011
【図１０】
2016134341.tif 000012
【図１１】
2016134341.tif 000013
【図１２】
2016134341.tif 000014
【図１３】
2016134341.tif 000015
【図１４】
2016134341.tif 000016
【図１５】
2016134341.tif 000017
【図１６】
2016134341.tif 000018